(57)【要約】【課題】  鳥類の飛来に伴い発生する糞害を未然に防ぐことで、地絡事故や短絡事故を防止する鳥害防止装置の提供。【解決手段】  碍子３の上側にあって縦軸４ａ回りに回転可能に設けられた回転体５と、回転体５を縦軸４ａ回りに回転させる駆動モータ８と、鳥類１６が飛来してきたことを検知して検知信号を駆動モータ８に出力する飛来センサ９と、回転体５に対して縦軸４ａの周囲に並べて取付けられる複数のカバー部材６とを備え、カバー部材１６は、その先端側を上下方向に回動可能とさせるように、基端側が回転体５に枢支されている鳥害防止装置。【選択図】図２
2016171706.tif 000002
【特許請求の範囲】
【請求項１】
碍子の上側にあって縦軸回りに回転可能に設けられた回転体と、該回転体を前記縦軸回りに回転させる駆動モータと、鳥類が飛来してきたことを検知して検知信号を駆動モータに出力する飛来センサと、前記回転体に対して縦軸の周囲に並べて取付けられる複数のカバー部材とを備え、
該カバー部材は、その先端側を上下方向に回動可能とさせるように、基端側が回転体に枢支されていることを特徴とする鳥害防止装置。
【請求項２】
前記各カバー部材は、前記回転体の径方向外方に向けて突出する杆状部材を介して回転体の外周部に取付けられ、杆状部材どうしは回転体の周方向に間隔を置いて配置されている請求項１記載の鳥害防止措置。
【請求項３】
回転体およびカバー部材は、鉄構に支持される碍子の上側に配置される請求項１または請求項２に記載の鳥害防止装置。
【請求項４】
前記回転体を回転自在に外嵌して支持する支持部材を備え、該支持部材は碍子を支持する鉄構の下面と鉄構の下側に配置される碍子の上端との間にあって、鉄構の下面と碍子の上端に取付けられる請求項１または請求項２に記載の鳥害防止装置。
【発明の詳細な説明】
【技術分野】
【０００１】
本発明は鳥害防止装置に関し、例えば、カラス等の鳥類が発電所の鉄構等へ飛来して鉄構に支持された碍子へ糞害をおよぼすのを防止するための技術である。
【背景技術】
【０００２】
発電所には、鉄塔や屋外鉄構等が設けられており、これらは鳥類が外敵を避けるのに都合のよい設備であり、したがって鳥類が頻繁に飛来する。例えば屋外鉄構に鳥類が飛来して営巣する場合等では、鳥類による糞が屋外鉄構のみならず、屋外鉄構に支持された碍子（例えば懸垂碍子）にも付着する。鳥類の糞が碍子に大量に付着すると、母線と鉄構間が短絡されてしまって通電状態となり、母線地絡を発生させる。母線地絡が発生すると広範囲が停電してしまうし、その復旧作業にも多くの時間を必要とする。
【０００３】
このような問題を解決するために、下記特許文献１に鳥害防止具が提案されている。特許文献１の鳥害防止具は、碍子に対し降雨による雨洗効果を損なわずに、鳥類の糞による停電事故の発生を防止することを目的としている。特許文献１の鳥害防止具は、碍子の上側に配置され碍子の外径より大きい外径を有する円盤状の遮蔽板本体を備え、遮蔽板本体には雨水を通すための雨水通路が形成されている。
【先行技術文献】
【特許文献】
【０００４】
【特許文献１】特開２００５−２１６５０３号公報
【発明の概要】
【発明が解決しようとする課題】
【０００５】
しかしながら、特許文献１の鳥害防止具では、水分の多い糞の場合、これが雨水通路を通過してしまって碍子に至ることが考えられる。そして糞が碍子を伝って鉄構と母線を通電させると、母線地絡を発生させてしまう。なお、このような鳥類の糞害に伴う事故としては、母線地絡に限らず、配電設備において碍子を備えた領域での短絡等も考えられる。
【０００６】
そこで本発明は、鳥類の飛来に伴い発生する糞害を未然に防ぐことで、地絡事故や短絡事故を防止する鳥害防止装置の提供を課題とする。
【課題を解決するための手段】
【０００７】
本発明の鳥害防止装置は、碍子の上側にあって縦軸回りに回転可能に設けられた回転体と、該回転体を前記縦軸回りに回転させる駆動モータと、鳥類が飛来してきたことを検知して検知信号を駆動モータに出力する飛来センサと、前記回転体に対して縦軸の周囲に並べて取付けられる複数のカバー部材とを備え、該カバー部材は、その先端側を上下方向に回動可能とさせるように、基端側が回転体に枢支されていることを特徴としている。
【０００８】
上記構成の鳥害防止装置では、回転体が回転しないと、カバー部材はその先端側を下方に向けるよう垂れて閉じており、垂れた状態で雨水がカバー部材を伝って碍子へ流れて碍子を雨洗する。また、鳥類が飛来したことを飛来センサが検知し、その検知信号が駆動モータに出力されると駆動モータが駆動して回転体を縦軸回りに回転させ、回転体の回転に伴う遠心力でもってカバー部材の先端側が縦軸側を支点にして上方向に回動するよう開くとカバー部材が鳥類の忌避部材として機能して、鳥類を碍子周辺に寄せ付けない。しかも、カバー部材が回転体とともに回転することで、仮にカバー部材に糞が付着してもこれが遠心力によって切り落とされる。
【０００９】
本発明の鳥害防止装置では、前記各カバー部材は、前記回転体の径方向外方に向けて突出する杆状部材を介して回転体の外周部に取付けられ、杆状部材どうしは回転体の周方向に間隔を置いて配置されている構成を採用できる。
【００１０】
上記構成の鳥害防止装置のように、杆状部材どうしを周方向に間隔を置いて配置したことによれば、杆状部材と杆状部材との間から雨が落ちるから、碍子が雨で洗われて、その汚れが除去される。
【００１１】
本発明の鳥害防止装置では、回転体およびカバー部材は、鉄構に支持される碍子の上側に配置される構成を採用できる。鉄構は、鳥類が外敵を避けるのに都合のよい設備であるため鳥類が頻繁に飛来することが考えられ、上記構成の鳥害防止装置を鉄構に支持された碍子の上側に配置することで、種類や方向の異なる碍子に対しても鳥害防止を図ることができる。
【００１２】
本発明の鳥害防止装置では、前記回転体を回転自在に外嵌して支持する支持部材を備え、該支持部材は碍子を支持する鉄構の下面と鉄構の下側に配置される碍子の上端との間にあって、鉄構の下面と碍子の上端に取付けられる構成を採用できる。
【００１３】
上記構成の鳥害防止装置によれば、回転体は鉄構の下側かつ碍子の上側で回転するから、鉄構や碍子に邪魔されずにカバー部材が回転体の回転に伴う遠心力でもって上方向に回動するよう開き、カバー部材が鳥類の忌避部材として機能して鳥類を碍子周辺に寄せ付けない。
【発明の効果】
【００１４】
本発明の鳥害防止装置によれば、鳥類の飛来に伴い発生する糞害を未然に防ぐことで、地絡事故や短絡事故を防止することができる。
【図面の簡単な説明】
【００１５】
【図１】図１は、本発明の一実施形態に係る鳥害防止装置の配置位置を表す説明図である。
【図２】図２は、同一部破断正面図である。
【図３】図３は、同図２のＡ−Ａ線断面図でありカバー部材が開いた状態を表す。
【図４】図４は、同制御ブロック図である。
【発明を実施するための形態】
【００１６】
以下、本発明に係る鳥害防止装置の一実施形態について、図１ないし図４を参照して説明する。図１に示すように、鳥害防止装置１は、例えば発電所の鉄構２と、鉄構２の下側に配置される碍子（ＳＰ碍子）３との間に設けられる。図２ないし図４に示すように、鳥害防止装置１は、支持部材４と、回転体５と、カバー部材６と、杆状部材７と、駆動モータ８と、飛来センサ９と、バッテリ１０と、電源１１とを備える。
【００１７】
支持部材４は、回転体５を支持する部材である。支持部材４は、鉄構２の下面２ａと碍子３の上端３ａの間に配置されている。支持部材４は、鉄構２の下面２ａにボルト１２等により固定される上支持部４Ａと、碍子３の上端に固定される下支持部４Ｂとを備える。上支持部４Ａは、鉄構２の下面２ａに固定される環状の上鍔部４０と、上鍔部４０から垂下する円筒状の上円筒部４１とを一体的に備えている。下支持部４Ｂは、碍子３の上端３ａに固定される環状の下鍔部３０と、下鍔部３０から立ち上げられる筒状の下円筒部３１とを一体的に備えている。上円筒部４１の径は下円筒部３１の径よりも小さく形成されており、上円筒部４１が下円筒部３１の上方から嵌め込まれて互いに固定されている。
【００１８】
回転体５は、上円筒部４１に軸受１３を介して取付けられている。すなわち、回転体５は、支持部材４の中心軸線（縦軸）４ａを中心として上円筒部４１に対して相対的に回転できるよう構成されている。具体的には、回転体５は、固定された支持部材４に対して中心軸線４ａ回りに回転できるよう構成されている。
【００１９】
回転体５は、上円筒部４１に前記軸受１３を介して取付けられた環状の従動傘歯車５０と、従動傘歯車５０の下面に固定された取付部材５１とを備える。従動傘歯車５０には、その上面側に歯部が形成されている。取付部材５１は、従動傘歯車５０と同心の環状に形成されている。
【００２０】
カバー部材６は、杆状部材７を介して取付部材５１の径方向外側に配置されている。杆状部材７は、従動傘歯車５０の径方向外方に向けて突出するものである。杆状部材７は、平面視して回転体５に放射状に配置されている。すなわち、杆状部材７は、回転体５の周方向に所定間隔を置いて回転体５の外周面に取付けられている。カバー部材６は、杆状部材７の先端にピン１４を介して少なくとも先端側が上下方向に回動自在に取付けられている。この場合では、カバー部材６は扇形状に形成されており、全体がピン１４に回動自在に取付けられている。ピン１４は、水平方向に沿う軸線に沿うものである。換言すれば、カバー部材６は、ピン１４側である基端側を幅狭に形成され、ピン１４から離れる先端側を幅広に形成した台形状に形成され、幅狭側端がピン１４に取付けられている。
【００２１】
図２の実線で示すように、カバー部材６は、最も下方に回動した状態において、鉛直方向に対して幾分上方を向くように保持される構成である。最も下方に回動した状態において、周方向に隣り合うカバー部材６どうしは、重ならない。また、同図の仮想線で示すように、カバー部材６は、最も上方に回動した状態（後述するように、遠心力により開かれた状態）において、略水平となる。最も下方に回動した状態において、カバー部材６の幅広側端部は碍子３の外端３ｂに対して径方向内方にあり、最も上方に回動した状態において、カバー部材６の幅広側端部は碍子３の外端３ｂに対して径方向外方にある。
【００２２】
駆動モータ８は、支持部材４に並べて、鉄構２の下面２ａにボルト１２等を介して取付けられている。駆動モータ８の駆動軸８ａの先端に駆動傘歯車１５が取付けられている。この駆動傘歯車１５は、従動傘歯車５０に上側から噛合するものである。なお、駆動モータ８は、風雨を避けるようケース（図示せず）に内装される構成が好ましい。
【００２３】
図４に示すように、鳥害防止装置１は、鳥類１６が飛来してきたことを検知する前記飛来センサ９、飛来センサ９からの検知信号を駆動モータ８に出力して駆動モータ８を駆動させるよう制御する制御装置１７、駆動モータ８の電力源である前記バッテリ１０、バッテリ１０に充電させる前記電源１１であるソーラー電池をさらに備えている。なお、飛来センサ９は、鉄構２の適宜の場所に複数個配置される。電源１１は鉄構２の適宜の場所に配置される。飛来センサ９として、例えば赤外線センサが例示される。そして、制御装置１７の入力側に飛来センサ９、およびバッテリ１０が接続され、制御装置１７の出力側に駆動モータ８が接続されている。
【００２４】
上記構成の鳥害防止装置１において、鳥類１６の飛来がない場合、すなわち飛来センサ９がカラス等の鳥類１６の飛来を検出していない場合では、制御装置１７から駆動モータ８に駆動信号が出力されないため、駆動モータ８は駆動しておらず、駆動傘歯車１５が駆動しないために従動傘歯車５０および取付部材５１が回転せず、取付部材５１に杆状部材７を介して取付けられているカバー部材６も回転せず、したがって、カバー部材６は最も下方に回動した状態にあって、その先端側が下方を向くよう垂れて閉じている。
【００２５】
カバー部材６が垂れた状態にあれば、カバー部材６の幅広側端部は、碍子３の外端３ｂに対して径方向内方にあるから、雨水がカバー部材６を伝って碍子３へ流れて碍子３を雨洗することができ、碍子３に付着した塵芥等を除去することができる。また、杆状部材７は、回転体５の周方向に所定間隔を置いて回転体５の外周面に取付けられている。すなわち、雨水は杆状部材７の間を通って碍子３へ流れるから、碍子３をいっそう確実に雨洗することができる。
【００２６】
飛来センサ９がカラス等の鳥類１６の飛来を検出すると、その検出信号が制御装置１７に出力され、制御装置１７から駆動モータ８に駆動信号が出力され、駆動モータ８の駆動軸８ａとともに駆動傘歯車１５が回転し、駆動傘歯車１５の回転駆動力が従動傘歯車５０に伝達されて従動傘歯車５０が中心軸線４ａ回りに回転する。このとき、支持部材４は鉄構２の下面２ａおよび碍子３の上端３ａに固定され、従動傘歯車５０は軸受１３を介して支持部材４に取付けられているから、従動傘歯車５０が中心軸線４ａ回りに回転する。従動傘歯車５０が回転すると、従動傘歯車５０に取付けられている取付部材５１が回転し、取付部材５１に杆状部材７を介して取付けられているカバー部材６が回転する。
【００２７】
カバー部材６は、ピン１４を介して杆状部材７に取付けられているから、杆状部材７が回転を開始すると、その遠心力によってカバー部材６は、ピン１４側（中心軸線４ａ側）である幅狭側端を支点にして、幅広側端が上方向に回動して開いた状態となる。カバー部材６は、取付部材５１が最高速度で回転した際に略水平の姿勢となる。カバー部材６は、最も下方に回動した状態において、鉛直方向に対して幾分上方を向くように保持されていることから、その分だけ略水平の姿勢になるまでに時間がかからない。
【００２８】
このように、本実施形態の鳥害防止装置１では、飛来センサ９を用い、鳥類１６が飛来した時だけ、カバー部材６が回転し且つ上方向に回動するよう開くようにしていることから、カバー部材６が長期的に忌避部材としての機能を持続し、鳥類１６の飛来を抑制できる。また、駆動モータ８の駆動音や傘歯車どうしの噛合音が、鳥類１６の忌避を効果的にする。しかも、カバー部材６が回転することで、仮にカバー部材６に鳥類１６の糞が付着しても、これを遠心力によって切り落とす（振り落とす）ことができる。
【００２９】
本発明の鳥害防止装置は、上記実施形態に限定されない。上記実施形態では、カバー部材６は取付部材５１に杆状部材７を介して取付けられた場合を例示した。しかしながら、カバー部材６はピン１４を介して取付部材５１の外周面に取付けることもできる。この場合、カバー部材６のピン１４側の幅を、カバー部材６が最も下方に回動した状態において周方向に隣り合うカバー部材６どうしが重ならない寸法に設定することが好ましい。このようにすることで、カバー部材６どうしの間から雨水を碍子３へ落とすことができ、碍子３への雨洗効果を期待できる。
【００３０】
上記各実施形態では、鳥害防止装置１の支持部材４、回転体５、およびカバー部材６を、発電所等の鉄構２の下側に配置する場合を例示した。しかしながら、本発明の鳥害防止装置は、回転体、およびカバー部材を碍子の上側に設けることで、碍子に対する雨洗効果が期待でき、しかも鳥類を忌避させることができるのであれば、設置場所は鉄構２の下面２ａに取付ける場合に限定されない。すなわち、鉄構２やその横梁等に、異なる種類や異なる方向、異なる位置として支持されている碍子に対しても適用できる。
【００３１】
上記実施形態では、カバー部材６を扇状に形成した場合を例示した。しかしながら、カバー部材６は扇状に限定されず、碍子に対する雨洗効果、鳥類に対する忌避効果が期待できれば、円盤状や三角形状であってもよい。
【００３２】
上記実施形態では、カバー部材を回転させる機構として傘歯車機構を用いた場合を例示した。しかしながら、例えば平歯車の組合せによる機構を用いてカバー部材を回転させることもできる。
【符号の説明】
【００３３】
１…鳥害防止装置、２…鉄構、２ａ…下面、３…碍子、３ａ…上端、３ｂ…外端、４…支持部材、４ａ…中心軸線、５…回転体、６…カバー部材、７…杆状部材、８…駆動モータ、９…飛来センサ、１１…電源、１４…ピン、１５…駆動傘歯車、１６…鳥類、１７…制御装置、５０…従動傘歯車、５１…取付部材
【図１】
2016171706.tif 000003
【図２】
2016171706.tif 000004
【図３】
2016171706.tif 000005
【図４】
2016171706.tif 000006